(57)【要約】      （修正有）【課題】構造が簡便で美観も損なわず、容易に、記載事項の内容変更及び廃棄処理ができる看板を提供する。【解決手段】法律や規準により定められた記載事項が表示された看板であって、裏面板１と、裏面板の前面に、法律や規準により定められた記載事項が裏面側から表示され、且つ裏面側に凸状に湾曲し、且つ切欠き溝２を有する透明板３が配置され、それら２枚の板を一体となす固定枠４ａを有している。【選択図】図１
0003223418.tif 000002
【実用新案登録請求の範囲】
【請求項１】
法律や規準により定められた記載事項が表示された看板であって、
裏面板と、該裏面板の前面に、法律や規準により定められた記載事項が裏面側から表示され、且つ裏面側に凸状に湾曲し、且つ切欠き溝を有する透明板が配置され、それら２枚以上の板を一体となす固定枠を有していることを特徴とする看板。
【考案の詳細な説明】
【技術分野】
【０００１】  本考案は、法律や規準により定められた記載事項が表示された看板に関する。【０００２】  例えば、事務所に掲示され、内容変更が義務付けられている法定看板に関する。
【背景技術】
【０００３】  例えば、事務所に掲示され、内容変更が義務付けられている看板は、その記載事項や大きさが定められている。【０００４】  従来の看板は、金属板、樹脂板及び表示体用シートに直接表示体を記載して表示されていたが、その記載事項の内容変更には、はじめから看板を作り直す必要があり、新たに看板を製作する費用や手間、不要となった既存看板の廃棄など非常に不経済な問題があった。【０００５】  従来、看板の内容変更には、新たな看板を製作する他に、粘着性の表示体用シート若しくは表示体を部分的に剥離後若しくはその上から、改めて記載事項を製作し直した表示体用シート若しくは表示体を表示し直し、又は、看板全体の表示体用シートを剥離後若しくはその上から、改めて記載事項を製作し直した表示体用シートで貼り直す必要があり、多くの手間が必要とされていた。【０００６】  また、部分的な修正では、修正していない個所との見た目の差異が発生し、例えば粘着性の表示体用シート若しくは表示体を剥がす作業の際に基板を傷めたり、貼り直しの作業にいたっては、位置ずれを起こすことが多く、凹凸や気泡が生じないように均一に基板に貼付するには、慎重かつ熟練を要する技術が必要である上、美感を損なわないために多くの時間と費用が生じ、需要者の負担になっていた。【０００７】  また、内容変更後に不要となった既存看板には様々な法人情報が記載されており、そのまま廃棄してしまうと情報漏えいの危険があり、看板の大きさや材質によっては専門業者への廃棄依頼が必要になるなど、需要者の負担になっていた。【０００８】  看板やディスプレイ装置については従来から種々の提案がなされている。【０００９】  例えば、実用新案登録第３１０１４４８号公報（下記特許文献１）には、板状部材から形成された本体表示板に、固定情報を表示した固定表示部に隣接して変動情報を取替え可能に表示した変動表示部を配置し、その変動表示部に、前記変動情報を記載したシート状部材を固定用枠体により着脱可能に保持することによって、変動情報を入れ替える際にあたって、変動表示部の固定用枠体を開放操作することにより、変動情報を記載されたシート状部材の取替えを容易にするとともに、固定表示部にはなんら手を加える必要をなくし、新たな看板を準備しなくても必要な情報のみを容易かつ安価に取替えられる看板が記載されている。【００１０】  しかし、この特許文献１の看板は、固定情報と変動情報を縦横方向に１つあるいは複数隣接させるものであり、この固定情報と変動情報を重ね合わせて一体の看板を構成することはできなかった。【００１１】  また、特開２００３−３２６８９９号公報（下記特許文献２）には、薄膜状の磁石シートの一方面に、紙又は合成樹脂フィルムからなる薄膜状の印刷シートをラミネートし、この印刷シート面に複写機、プリンター、プロッター等の印刷機により絵画、書、写真、広告等の表示体を印刷し、これをスチール等の磁性体を備えてなる基板に磁着することにより、絵、書、写真を好みに応じて、あるいは季節、掲示場所に応じて、さらには来訪者の嗜好に合わせて迅速かつ容易に絵、書、写真等の表示体を交換することができるディスプレイ装置が記載されている。【００１２】  しかし、特許文献���に記載されたディスプレイ装置は、「磁石シート」に「印刷シート」をラミネートし、その表面に「表示体」を複写機、プリンター、プロッター等で印刷するという、従来の「印刷シート」に「表示体」を印刷する公知技術の表現形態を取っており、簿膜状のマグネットシートに印刷シートを貼る際に、上記のような容易ではない作業を伴うものだった。【００１３】  また、実用新案登録第３１８５５３０号公報（下記特許文献３）には、法律や規準により定められた記載事項が表示された看板であって、裏面板と、該裏面板の前面に、法律や規準により定められた記載事項が裏面側から表示され、且つ裏面側に凸状に湾曲した透明板が配置され、それら２枚以上の板を一体となす固定部材を有していることを特徴とする看板が記載されている。【００１４】  しかし、特許文献３に記載された看板は、内容変更後に不要となった前記透明板（既存看板）が耐久性などの面から割れにくい素材であるために、様々な法人情報が記載された該透明板をそのままの状態で廃棄し、外部に法人情報を漏えいしてしまう恐れがあった。【００１５】  このように、この特許文献１、特許文献２及び特許文献３に記載された看板やディスプレイ装置は、複雑な構造や、記載事項の内容変更に手間がかかり、また既存看板の廃棄やそれに伴う情報管理ついて問題があるため、本考案が目的とする看板には適用できなかった。
【特許文献１】実用新案登録第３１０１４４８号公報
【特許文献２】特開２００３−３２６８９９号公報
【特許文献３】実用新案登録第３１８５５３０号公報
【考案の概要】
【考案が解決しようとする課題】
【００１６】  本考案は、前述のような従来技術の問題点を解決し、構造が簡便で美観も損なわず、容易に記載事項の内容変更ができ、且つ内容変更後に不要となった既存看板の廃棄やそれに伴う情報管理が容易にできる看板を提供することを課題とする。
【課題を解決するための手段】
【００１７】  本考案は、前述の課題を解決すべく、記載事項を裏面側に表示した透明板を裏面板の前面に配置し、それらを固定枠により一体とすることにより、構造が簡便で美観も損なわず、容易に記載事項の内容変更ができ、且つ既存看板の廃棄に伴う問題を解決する看板を提供するものであり、その要旨とするところは実用新案登録請求の範囲に記載した通りの下記内容である。
（１）法律や規準により定められた記載事項が表示された看板であって、
裏面板と、該裏面板の前面に、法律や規準により定められた記載事項が裏面側から表示され、且つ裏面側に凸状に湾曲し、且つ切欠き溝を有する透明板が配置され、それら２枚以上の板を一体となす固定枠を有していることを特徴とする看板。
【考案の効果】
【００１８】  本考案によれば、記載事項を裏面側に表示した透明板を裏面板の前面に配置し、それらを固定枠で一体とすることにより、構造が簡便で、記載事項が表示された該透明板の交換が容易にできるうえ、該透明板は裏面側に凸状に湾曲しているために、該裏面板と密着し美観が良く、また該透明板は切欠き溝を有しているため、割れにくい素材であっても廃棄時に分割しやすく、記載事項の情報漏えいの予防もしやすい。【００１９】  また、それらの板を枠で固定することで、板間へのゴミや雨風の侵入を防ぎ、構造が簡便で、記載事項を容易に内容変更することが可能となるなど、産業上有用な著しい効果を奏する。
【考案を実施するための最良の形態】
【００２０】  本考案を実施するための最良の形態について図１乃至図８を用いて詳細に説明する。【００２１】  図１乃至図８において、１は裏面板、２は切欠き溝、３は切欠き溝のある湾曲した透明板、４ａはＬの字断面の固定枠、４ｂはコの字断面の固定枠、５は表示体、６は装飾板を示し、同じ要素については同じ番号を付することにより重複した説明を省略する。【００２２】  図１乃至図３は、本考案の看板の第１の実施形態の構造の例示図であり、図１は斜視図、図２は側面図、図３は使用状態を示す図である。【００２３】  図１乃至図３に示すように、本考案の看板は、法律や規準により定められた記載事項が表示された看板であって、裏面板１と、該裏面板の前面に、法律や規準により定められた記載事項が裏面側から表示され、且つ裏面側に凸状に湾曲し、且つ切欠き溝２を有する透明板３が配置され、それら２枚以上の板を一体となす固定枠を有していることを特徴とする。【００２４】  本考案は美観を保ちながらも、迅速かつ容易に記載事項の内容変更ができる看板構造であり、例えば「建設業の許可票」、「建築士事務所」標識、「宅地建物取引業者票」、「登録電気工事業者登録票」、「登録電気工事業者届出済票」、「測量業者登録標」等のように、法律や規準により記載事項の内容変更をすることが義務付けられている法定看板であって、位置ずれを起こしたりすることなく、需要者が特別な技術を必要とせずに迅速かつ安心して内容変更をすることができる。【００２５】  本考案においては、表示体５を透過率の優れた切欠き溝のある湾曲した透明板３の裏面側に表示し、該透明板を正面とし、背面となる裏面板１と重ね、それら２枚以上の板を固定枠で一体とすることで、該表示体及び該裏面板の正面を外部環境から守るような形で構成する。【００２６】  需要者は記載事項が表示された前記透明板のみを交換することで、その他の部材は交換することなく内容変更ができ、半永久的に看板を使用することができるため、非常に経済性に優れている。【００２７】  具体的には、記載事項を前記透明板の裏面側に表示することにより、正面側からのいたずらによる文字の剥離や使用時の擦傷を防止することができるうえ、雨風に強い。【００２８】  本考案においては、切欠き溝のある湾曲した透明板３の素材は一般に用いられているガラスや汎用プラスチックでもよいが、光の透過率が９３％の透明アクリル板を用いることにより透明度が高く、軽量で割れにくく、リサイクルも容易であるうえ、透明板に表示された表示体５や裏面板１を広範囲の紫外線領域から守ることにより退色を低減することができる。【００２９】  また、前記透明板は裏面板１と密着すればよく、該透明板の湾曲の大きさ及び湾曲方向は問わない。そのため、該透明板が本来有する反りを湾曲として利用することもできる。【００３０】  また、表示体５の内容変更時に、外部に多くの時間暴露され一番過酷な状況にある正面の前記透明板もリニューアルできることは、需要者の立場に立った利便性、経済性、美観、しいては環境に配慮した看板構造といえる。【００３１】  また、様々な法人情報が記載され割れにくい素材である前記透明板は切欠き溝２を有しているため、比較的容易な力で分割し廃棄できるため、外部への記載事項の情報漏えいの予防もしやすい。【００３２】  このように従来は、金属板、樹脂板及び表示体用シートに直接表示体を記載して表示していたため、記載事項を内容変更するには、看板全体を交換する必要があったり、部分的な修正では、修正していない個所との見た目の差異が発生し美観を損なうおそれがあったが、本考案においては、法律や規準により定められた記載事項が裏面側から表示され、且つ裏面側に凸状に湾曲し、且つ切欠き溝２を有する透明板３を裏面板１の前面に配置することにより、記載事項を内容変更するには、該透明板のみを交換すればよいので、交換の手間を著しく低減することができるうえ、比較的容易な力で、該透明板を分割廃棄できるため情報漏えいを防ぎ、ゴミの量も削減でき、該透明板以外の部品を繰り返し使うことができるため環境への適合性に非常に優れている。【００３３】  また、法律や規準により定められた記載事項の前記透明板への表示方法は問わないが、彫刻や３Ｄプリンタその他、直接印刷する方式等が好ましく、該透明板の裏面側から文字を逆転させて表示することにより、正面側からの擦傷による表示体５の損傷や劣化を防止することができる。【００３４】  また、裏面板１の素材は、簡単に変形しない強度があればよいが、表面と裏面を異なる色にすることによって、表裏面を反転させ看板の背景色を容易に変更したり、色の無い透明板を裏面板として用いることで、透明な板のみの板面で構成する看板とすることができるなど、需要者の趣向や嗜好面での変化に対応ができる。【００３５】  なお、２枚以上の板を固定する枠の構成は問わないが、ワンタッチで開閉できる機構を持つ枠や、磁性や粘性を帯びた物質、面ファスナー等を利用することで板面交換時の利便性を高めることができるが、一般的にはネジを用いることにより、ドライバー１本で誰でも簡単に枠を脱着し、透明板を交換することができる。【００３６】  図４乃至図６は、本考案の看板の第２の実施形態の構造の例示図であり、図４は斜視図、図５は側面図、図６は使用状態を示す図である。【００３７】  図４乃至図６に示すように、枠の内側をコの字に形成したコの字断面の固定枠４ｂに、裏面板１および切欠き溝のある湾曲した透明板３を嵌め込むことにより、コの字に沿って該板どうしを密着して重ねて看板を組み立てることができる。【００３８】  図７及び図８は、本考案の看板の第３及び第４の実施形態の構造を例示する側面図である。
図７に示すように、裏面板１の背面に、切欠き溝のある湾曲した透明板３を正面と同じ要領で配置し、状況に応じて擦傷防止のため養生を施す。法律や規準により定められた記載事項が表示された法定看板は、特定の箇所が変更されることが法律や規準により事前に推測できる場合がある。そのため正面の表示体５を製作時に、背面の表示体５も同時に製作し準備することで、正面の記載事項の内容変更期限に達した場合でも、慌てることなく即座に背面の透明板と差し替えて、迅速を要求される法定要件を充足することができる。これは誰もが簡単に記載事項が表示された板を交換でき、また複数の表示体を内包できる本看板構造の特徴を生かした機能である。また、通常ならば内容変更時に新たに専門業者に製作依頼する手間や時間、それらに付随する費用も省くことができる。【００３９】  また、図８に示すように、切欠き溝のある湾曲した透明板３と裏面板１との間に、単色または色彩豊かなシート、ロゴやコーポレートカラーを有したイラスト等を表示した装飾板６を挟み込むことにより、需要者の趣向や嗜好面での変化に対応ができるなど、デザインの自由度が高い看板構造を実現することができる。
【図面の簡単な説明】
【００４０】
【図１】  本考案の看板の第１の実施形態の構造を例示する斜視図である。
【図２】  本考案の看板の第１の実施形態の構造を例示する側面図である。
【図３】  本考案の看板の第１の実施形態の使用状態を示す図である。
【図４】  本考案の看板の第２の実施形態の構造を例示する斜視図である。
【図５】  本考案の看板の第２の実施形態の構造を例示する側面図である。
【図６】  本考案の看板の第２の実施形態の使用状態を示す図である。
【図７】  本考案の看板の第３の実施形態の構造を例示する側面図である。
【図８】  本考案の看板の第４の実施形態の構造を例示する側面図である。
【符号の説明】
【００４１】１    裏面板
２    切欠き溝
３    切欠き溝のある湾曲した透明板
４ａ  Ｌの字断面の固定枠
４ｂ  コの字断面の固定枠
５    表示体
６    装飾板
【図１】
0003223418.tif 000003
【図２】
0003223418.tif 000004
【図３】
0003223418.tif 000005
【図４】
0003223418.tif 000006
【図５】
0003223418.tif 000007
【図６】
0003223418.tif 000008
【図７】
0003223418.tif 000009
【図８】
0003223418.tif 000010
【手続補正書】
【提出日】令和1年7月24日(2019.7.24)
【手続補正１】
【補正対象書類名】実用新案登録請求の範囲
【補正対象項目名】全文
【補正方法】変更
【補正の内容】
【実用新案登録請求の範囲】
【請求項１】
法律や規準により定められた記載事項が表示された看板であって、
裏面板と、該裏面板の前面に、法律や規準により定められた記載事項が裏面側から表示され、且つ裏面側に凸状に湾曲し、且つ切欠き溝を有する透明板が配置され、それら２枚の板を一体となす固定枠を有していることを特徴とする看板。